(57)【要約】【課題】尿により床面等の便器周辺を汚すおそれを低減させることができる便座装置、尿飛散防止装置を提供する。【解決手段】便座装置１は、便器９に据え付けられる便座１１と、便器９内に対面する使用位置Ｐ１と使用位置Ｐ１から退避する退避位置Ｐ２とに移動可能に設けられた保持部材２と、保持部材２に保持され保持部材２が使用位置Ｐ１に設定されるとき男性使用者の放尿の目標となるように便器９内に突出する目標部３とを具備する。【選択図】図１
2005006898.tif 000002
【特許請求の範囲】
【請求項１】
便器に据え付けられる便座と、
便器内に対面する使用位置と前記使用位置から退避する退避位置とに移動可能に設けられた保持部材と、
前記保持部材に保持され前記保持部材が前記使用位置に設定されるとき使用者の放尿の目標となるように便器内に突出する目標部とを具備することを特徴とする便座装置。
【請求項２】
請求項１において、前記便座の開放に伴い前記保持部材を使用位置に移動させる可動機構を有することを特徴とする便座装置。
【請求項３】
請求項２において、前記便座が開放しても、前記保持部材を使用位置に移動させないキャンセル手段を有することを特徴とする便座装置。
【請求項４】
便器に据え付けられる便座と、
便器内に対面する使用位置に設定される保持部材と、
前記保持部材に保持され使用者の放尿の目標となるように便器内に突出する目標部とを具備しており、
前記目標部は、尿の飛散を抑制する緩衝性を有する緩衝部を有することを特徴とする便座装置。
【請求項５】
便器に据え付けられる便座と、
便器内に対面する使用位置に設定される保持部材と、
前記保持部材に保持され使用者の放尿の目標となるように便器内に突出する目標部とを具備しており、
前記目標部を洗浄する目標部洗浄部を有することを特徴とする便座装置。
【請求項６】
請求項５において、前記保持部材は、便器内に対面する使用位置と前記使用位置から退避する退避位置とに移動可能に設けられており、且つ、
前記目標部洗浄部は、前記保持部材が前記退避位置に向けて退避する途中のとき、または、前記保持部材が前記退避位置に退避しているとき、前記目標部を洗浄することを特徴とする便座装置。
【請求項７】
便器に据え付けられる便座と、
便器内に対面する使用位置に設定される保持部材と、
前記保持部材に保持され使用者の放尿の目標となるように便器内に突出する目標部とを具備しており、
尿が目標部に当たるとき音響を発生させる音響発生部を有することを特徴とする便座装置。
【請求項８】
請求項７において、尿が前記目標部に当たる度合を検知する検知手段を有し、前記検知手段が検知した尿が前記目標部に当たる度合に応じて、前記音響発生部は音響を発生させることを特徴とする便座装置。
【請求項９】
請求項１〜請求項６のうちのいずれか一項において、前記保持部材が前記使用位置に設定されるとき、音響を発生させる音響発生部を有することを特徴とする便座装置。
【請求項１０】
便器に据え付けられる便座と、
便器内に対面する使用位置に設定される保持部材と、
前記保持部材に保持され使用者の放尿の目標となるように便器内に突出する目標部とを具備しており、
尿に含まれる物質と反応して変色する試薬成分を収容可能な試薬収容手段と、前記試薬収容手段に収容されている試薬成分を前記目標部に供給する試薬供給手段とを有することを特徴とする便座装置。
【請求項１１】
請求項１０において、前記目標部に付着した試薬成分を除去する試薬除去手段を有することを特徴とする便座装置。
【請求項１２】
基部と、
前記基部に設けられ便器内に対面する使用位置と前記使用位置から退避する退避位置とに移動可能に設けられた保持部材と、
前記保持部材に保持され前記保持部材が使用位置に設定されるとき使用者の放尿の目標となるように便器内に突出する目標部とを具備することを特徴とする尿飛散防止装置。
【発明の詳細な説明】
【０００１】
【発明の属する技術分野】
本発明は尿飛散防止機能をもつ便座装置、尿飛散防止装置に関する。
【０００２】
【従来の技術】
従来、便座装置は、一般的には、便器に据え付けられる基部と、基部に回動可能に枢支された便座とを有する。便器に放尿するときには、上記した便座装置の便座を上方に回動させて開放した状態で行う（特許文献１，２等）。
【０００３】
【特許文献１】特開平９−１１１８４１号公報
【特許文献２】特開平７−７９８８３号公報
【０００４】
【発明が解決しようとする課題】
前述したように、使用者が便器内に放尿するときには、一般的には、上記した便座装置の便座を上方に回動させて開放した状態で、使用者が立ったままの姿勢で行っている。しかしながら、便器内の特定の部位が明示されているわけでなく、便器内に確実に放尿されるとは必ずしも限らず、特に子供等が放尿するときには、床面等の便器周辺を汚すおそれがあった。
【０００５】
本発明は上記した実情に鑑みてなされたものであり、尿により床面等の便器周辺を汚すおそれを低減させることができる便座装置、尿飛散防止装置を提供することを課題とする。
【０００６】
【課題を解決するための手段】
（１）第１様相の本発明に係る便座装置は、便器に据え付けられる便座と、便器内に対面する使用位置と使用位置から退避する退避位置とに移動可能に設けられた保持部材と、保持部材に保持され保持部材が使用位置に設定されるとき使用者の放尿の目標となるように便器内に突出する目標部とを具備することを特徴とするものである。使用者が放尿するとき、保持部材が使用位置に移動され、便器内に対面する。このように保持部材が使用位置に移動されるとき、保持部材に保持されている目標部は便器内に突出しており、使用者の放尿の目標となる。このため尿の飛散が抑制され、床面等の便器周辺を汚すおそれが低減する。
【０００７】
（２）第２様相の本発明に係る便座装置は、便器に据え付けられる便座と、便器内に対面する使用位置に設定される保持部材と、保持部材に保持され使用者の放尿の目標となるように便器内に突出する目標部とを具備しており、目標部は、尿の飛散を抑制する緩衝性を有する緩衝部を有することを特徴とするものである。使用者が放尿するとき、保持部材に保持されている目標部は便器内に突出しており、使用者の放尿の目標となる。このため尿の飛散が抑制され、床面等の便器周辺を汚すおそれが低減する。また目標部は、尿の飛散を抑制する緩衝性を有する緩衝部を有するため、尿が目標部に当たったとしても、尿の跳ね返りは抑制され、床面等の便器周辺を汚すおそれが一層低減する。
【０００８】
（３）第３様相の本発明に係る便座装置は、便器に据え付けられる便座と、便器内に対面する使用位置に設定される保持部材と、保持部材に保持され使用者の放尿の目標となるように便器内に突出する目標部とを具備しており、目標部を洗浄する目標部洗浄部を有することを特徴とするものである。使用者が放尿するとき、保持部材に保持されている目標部は便器内に突出しており、使用者の放尿の目標となる。このため尿の飛散が抑制され、床面等の便器周辺を汚すおそれが一層低減する。尿は目標部に当てられるため、目標部は汚れる。しかし目標部を洗浄する目標部洗浄部が設けられているため、目標部を洗浄することができ、目標部の汚れを除去できる。
【０００９】
（４）第４様相の本発明に係る便座装置は、便器に据え付けられる便座と、便器内に対面する使用位置に設定される保持部材と、保持部材に保持され使用者の放尿の目標となるように便器内に突出する目標部とを具備しており、尿が目標部に当たるとき音響を発生させる音響発生部を有することを特徴とするものである。使用者が放尿するとき、保持部材に保持されている目標部は便器内に突出しており、使用者の放尿の目標となる。このため尿の飛散が抑制され、床面等の便器周辺を汚すおそれが一層低減する。尿が目標部に当たるとき、音響発生部は音響を発生させるため、使用者はその音響を聞きながら放尿でき、気分が爽快となったり、気ばらしにもなる。更に、尿が便器内の水に当たる不快音も音響により軽減または解消できるため、狭い室内においても他人に気兼ね無く放尿でき、環境上有利となる。音響としては、音楽、水流音、格言、放尿動作に対する助言、動物の鳴き声の少なくとも１種を例示できる。
【００１０】
（５）第５様相の本発明に係る便座装置は、便器に据え付けられる便座と、便器内に対面する使用位置に設定される保持部材と、保持部材に保持され使用者の放尿の目標となるように便器内に突出する目標部とを具備しており、尿に含まれる物質と反応して変色する試薬成分を収容可能な試薬収容手段と、試薬収容手段に収容されている試薬成分を目標部に供給する試薬供給手段とを有することを特徴とするものである。使用者が放尿するとき、保持部材に保持されている目標部は便器内に突出しており、使用者の放尿の目標となる。このため尿の飛散が抑制され、床面等の便器周辺を汚すおそれが一層低減する。尿の検査を行うときには、試薬収容手段に収容されている試薬成分を試薬供給手段の作動により目標部に供給する。この状態で、尿が目標部に当たるため、試薬成分と尿とが接触し、尿の検査を簡易的に行うことができる。
【００１１】
（６）第６様相の本発明に係る尿飛散防止装置は、基部と、基部に設けられ便器内に対面する使用位置と使用位置から退避する退避位置とに移動可能に設けられた保持部材と、保持部材に保持され保持部材が使用位置に設定されるとき使用者の放尿の目標となるように便器内に突出する目標部とを具備することを特徴とするものである。使用者が放尿するときには、保持部材が使用位置に移動され、便器内に対面する。このように保持部材が使用位置に移動されるとき、保持部材に保持されている目標部は便器内に突出しており、使用者の放尿の目標となる。このため尿の飛散が抑制され、床面等の便器周辺を汚すおそれが一層低減する。この尿飛散防止装置は、便座装置に最初から組み込まれていても良いし、あるいは、便座装置に後付けで取り付けることにしても良い。なお、尿飛散防止装置は、局部洗浄用の水を噴出する洗浄ノズルや温風装置等の機器と共に、あるいは、スペースが制約されるときには温風装置等の機器を廃止して便座装置に組み込むこともできる。
【００１２】
【発明の実施の形態】
各様相の本発明によれば次の形態を採用することができる。保持部材は、便器内に対面する使用位置と使用位置から退避する退避位置とに移動可能に設けられている形態を採用することができる。保持部材は、使用位置と退避位置との間において伸縮可能なシリンダ方式でも良いし、あるいは、使用位置と退避位置との間において揺動可能なスイング方式でも良い。この場合、目標部は保持部材に保持されており、保持部材が使用位置に設定されるとき、目標部は便器内に突出して使用者の放尿の目標となる。
【００１３】
更に、便座の開放に伴い保持部材を使用位置に移動させる可動機構が設けられている形態を採用することができる。可動機構としては、便座の閉鎖に伴い保持部材を退避位置に退避させると共に、目標部も放尿箇所から退避させることが好ましい。可動機構としては、便座の開放に伴い供給される水の圧力により保持部材を使用位置に設定する方式でも良いし、あるいは、便座の開放に伴い駆動モータが駆動して保持部材を使用位置に設定する方式でも良い。
【００１４】
尿の飛散を一層抑制させるためには、目標部は、尿の飛散を抑制する緩衝性を有する緩衝部を有する形態を採用することができる。緩衝部としては、尿の跳ね返りを抑制するものであればよく、起毛状、多孔質状、網状、軟質状等を例示できる。目標部を洗浄する目標部洗浄部を有する形態を例示することができる。目標部洗浄部は、保持部材が退避位置に向けて退避する途中のとき、または、退避位置に退避しているとき、目標部を水等の液体で洗浄することが好ましい。目標部洗浄部が目標部を洗浄する時期としては、これに限定されるものではない。
【００１５】
尿が目標部に当たると、音響を発生させる音響発生部を有する形態を採用することができる。この場合、尿が目標部に当たる度合を検知する検知手段を有し、検知手段が検知した尿が目標部に当たる度合に応じて、音響発生部は音響を発生させることが好ましい。ここで、『尿が目標部に当たる度合』としては、尿が目標部の目標中心域に当たる命中率、尿が目標部に当たる時間等が例示される。また目標部の向きを調整する調整機構を有する形態を採用することができる。この場合、使用者の身長の高低に応じて目標部の向きを調整することができる。
【００１６】
【実施例】
（第１実施例）
以下、本発明の第１実施例を図１〜図６を参照して具体的に説明する。図１に示すように、本実施例に係る便座装置１は便器９に据え付けられており、便器９の取付面９ａに着脱可能に取り付けられる基部１０と、基部１０に枢支部１４を介して回動可能に保持された便座１１と、基部１０に回動可能に保持された便蓋１２とを有する。更に便座装置１の基部１０には尿飛散防止装置１６が組み込まれている。尿飛散防止装置１６は、便器９内に突出して対面する使用位置Ｐ１と使用位置Ｐ１から退避する退避位置Ｐ２とに移動可能に設けられた保持部材２と、保持部材２の先端部に保持され保持部材２が使用位置Ｐ１に設定されるとき使用者の放尿の目標となる目標部３とを有する。
【００１７】
使用者（主として男性）が便器９内へ放尿するとき、図１に示すように、保持部材２が斜め下方向（矢印Ａ１方向）に前進して使用位置Ｐ１に移動され、便器９内に突出して対面する。このように保持部材２が使用位置Ｐ１に移動されるとき、保持部材２の先端部に保持されている目標部３は、便器９内に貯留されている水の水面ＷＡよりも上方に位置するように便器９内に突出し、使用者の放尿の目標位置となる。このように目標部３が放尿の目標位置とされるため、便器９周辺への尿の飛散が抑制される。便器９内に突出した目標部３の高さ位置は、便器９の上面９ｕよりも下方となる。
【００１８】
以下、更に説明を加える。図２に示すように、目標部３をもつ保持部材２の移動を行う可動機構４が基部１０に設けられている。可動機構４は、水圧応答式の主筒４０と、主筒４０に供給する水を溜めるタンク室５３をもつタンク５０と、タンク５０の水を主筒４０に給水する通水路６０とをもつ。主筒４０は、便座１１の開放に伴い保持部材２を使用位置Ｐ１に配置させるものであり、給水口４７をもつ水室４１と、水室４１に同軸的に接続された水室４１の内径よりも相対的に小さい内径をもつ副室４２と、水室４１の一端側に設けられた第１ストッパ部４３と、水室４１の他端側に設けられた第２ストッパ部４４と、保持部材２が退避位置Ｐ２に設定されたとき目標部３に対面する洗浄口４５とを有する。
【００１９】
図２に示すように、タンク５０は、入水口５１と、出水口５２と、タンク室５３とをもつ。入水口５１は、水道管に繋がる止水栓５４に止水用バルブ５５を介して接続されている。止水用バルブ５５はソレノイド５５ｃを有する。通水路６０は、便座１１の開放に伴い保持部材２を使用位置Ｐ１に移動させると共に、便座１１の閉鎖に伴い保持部材２を退避位置Ｐ２に移動させるものである。通水路６０は、タンク５０の出水口５２に繋がる主通水路６０ａと、主通水路６０ａに対して分岐された第１通水路６０ｂ及び第２通水路６０ｃとを有する。第１通水路６０ｂは、保持部材２を使用位置Ｐ１にするための水を供給する第１給水手段として機能する第１バルブ６１を有しており、水室４１の給水口４７に繋がる。第１バルブ６１はドレン通路６３を経て排水口に繋がる。第１バルブ６１はソレノイド６１ｃを有する。第２通水路６０ｂは、目標部洗浄部である洗浄口４５に洗浄用の水を供給する第２給水手段として機能する第２バルブ６２を有しており、洗浄口４５に繋がる。第２バルブ６２はソレノイド６２ｃを有する。図２に示すように、洗浄口４５は、保持部材２が退避位置Ｐ２に向けて矢印Ａ２方向に退避する途中のとき、または、保持部材２が退避位置Ｐ２に退避しているとき、目標部３を洗浄する目標部洗浄部として機能するものであり、目標部３の上面に対面可能である。
【００２０】
図２に示すように、保持部材２は、主筒４０の水室４１にスライド可能に且つ同軸的に設けられたピストン状の可動本体２０と、可動本体２０に取付具２３を介して同軸的に設けられた可動ロッド部２１とを有する。可動ロッド部２１は副室４２内に延設されている。可動ロッド部２１を退避位置Ｐ２に向けて矢印Ａ２方向に付勢する付勢手段として機能する付勢バネ２２が副室４２内に設けられている。付勢バネ２２は、使用位置Ｐ１に設定された可動ロッド部２１を矢印Ａ２方向に移動させて退避位置Ｐ２に帰還させる帰還手段として機能できる。付勢バネ２２は主筒４０のバネ座４６とピストン状の可動本体２０との間に介装されている。付勢バネ２２はコイルバネ形状とされているが、これに限定されるものではなく、板バネ等としても良い。図２に示すように、目標部３は保持部材２の可動ロッド部２１の先端部２１ｍに保持されており、保持部材２が使用位置Ｐ１に設定されるとき、使用者の尿を命中させる目標となる。目標部３は可動ロッド部２１の先端部２１ｍに取付具３６により着脱可能に設けられており、可動ロッド部２１の先端部２１ｍに嵌合する嵌合孔３０を有する本体３１と、本体３１の外面に着脱可能に被着された衝撃緩和性つまり緩衝性を有する起毛部３２ｆをもつ緩衝部３２とを有する。緩衝部３２は軟質樹脂や軟質ゴムなどの軟質材料で形成されており、尿の跳ね返りを抑えるものである。目標部３の本体３１が汚れたり、損傷したりしたときには、取付具３６を外せば、目標部３の本体３１を可動ロッド部２１の先端部２１ｍから取り外すことができ、目標部３の清掃、交換に有利である。また緩衝部３２が汚れたり、損傷したりしたときには、緩衝部３２を本体３１から取り外すことができ、緩衝部３２の清掃、交換に有利である。本体３１は軟質樹脂や軟質ゴムなどの軟質材料で形成されており、尿の飛び跳ねを抑えるのに有利である。図４に示すように、本体３１は、中空室３３とセンサホルダ３４とを有する。本体３１は中空室３３を有するため、軟質性に一層富み、尿の飛び跳ねを抑えるのに有利である。
【００２１】
尿が目標部３に当たる度合に応じて音響を発生させる音響発生部７（図６参照）が設けられている。音響発生部７はスピーカ７０とスピーカ駆動回路７１とを有しており、基部１０に設けられている。この場合、尿が目標部３に当たる度合を検知する検知手段としてのセンサ７４を有し、センサ７４が検知した尿が目標部３に当たる度合に応じて、音響発生部７は音響を発生させる。図４に示すように、センサ７４は目標部３のセンサホルダ３４に設けられている。センサ７４は装填材３５により水密状態にセンサホルダ３４に維持されている。センサ７４としては、力を検知する力センサ、衝撃力を検知する衝撃センサを例示できる。
【００２２】
図５に示すように、便座１１の開放を検知する便座開放検知手段として機能できる便座スイッチ１３が便座１１の枢支部１４付近に設けられている。便座１１が上方（矢印Ｕ１方向）に回動して開放されると、便座１１の枢支部１４に設けられた操作部としての突起１５が便座スイッチ１３のスイッチ部１３ｋを押圧操作してオンさせるため、便座１１の開放が検知される。開放状態の便座１１が下方（矢印Ｕ２方向）に回動して閉鎖されると、便座１１の枢支部１４に設けられた突起１５が便座スイッチ１３のスイッチ部１３ｋを押圧操作しないため、便座スイッチ１３はオフとされ、便座１１の閉鎖が検知される。
【００２３】
【表１】
2005006898.tif 000003
【００２４】
ここで、表１は、便座１１の開閉状態、便座スイッチ１３、止水用バルブ５５、第１バルブ６１、第２バルブ６２の作動関係を示す。表１のＮｏ．１に示すように、便座１１が開放されているときには、便座スイッチ１３がオン、止水用バルブ５５がオン、第１バルブ６１がオン、第２バルブ６２がオフとなり、タイマ７６はオフである。また、表１のＮｏ．２に示すように、尿のため開放していた便座１１が閉鎖された直後では、便座スイッチ１３がオフ、止水用バルブ５５がオン、第１バルブ６１がオフ、第２バルブ６２がオンとなり、タイマ７６がオンとなる。また、表１のＮｏ．３に示すように、便座１１が閉鎖され続けている通常の状態では、便座スイッチ１３がオフ、止水用バルブ５５がオフ、第１バルブ６１がオフ、第２バルブ６２がオフとなり、タイマ７６がオフとなる。
【００２５】
更に使用について説明を加える。便座１１が閉鎖され続けている通常の状態では、表１のＮｏ．３に示すように、便座スイッチ１３がオフ、止水用バルブ５５がオフ、第１バルブ６１がオフ、第２バルブ６２がオフとなり、タイマ７６がオフとなる。このため吐水栓５４からタンク５０への給水は停止されており、第１通水路６０から給水口４７への給水、第２通水路６０から洗浄口４５への給水は停止されている。このため可動ロッド部２１は付勢バネ２２の付勢力により矢印Ａ２方向に退避位置Ｐ２に付勢されており、図２に仮想線で示すように、保持部材２の可動本体２０の取付具２３は第２ストッパ部４４に接近または接触している。この結果、図２に仮想線で示すように、目標部３は退避箇所Ｍ２に退避しており、目標部３の上面は洗浄口４５に対面している。目標部３が退避箇所Ｍ２に退避しているとき、目標部３は主筒４０のカバー部４０ｐにより覆われている。
【００２６】
なお、本実施例に係る便座装置１は、人体の局部（肛門等）を洗浄処理する洗浄ノズル１８を基部１０に有する。
【００２７】
図６は制御系のブロック図を示す。図６に示すように、便座スイッチ１３の信号、洗浄ノズル１８を作動させる洗浄スイッチ７７の信号、後述のキャンセルスイッチ７８の信号、後述の音響キャンセルスイッチ７９の信号は、制御装置１００に入力される。制御装置１００からの指令信号は止水用バルブ５５の駆動回路５５ｗ、第１バルブ６１の駆動回路６１ｗ、第２バルブ６２の駆動回路６２ｗ、スピーカ駆動回路７１、洗浄ノズル１８の駆動回路１８ｗ、タイマ７６の駆動回路７６ｗに出力され、これにより止水用バルブ５５、第１バルブ６１、第２バルブ６２、スピーカ７０、洗浄ノズル１８、タイマ７６が制御される。なおタイマ７６はマイコンの内部タイマとすることもできる。
【００２８】
次に、使用者（主として男性）が便器９内において放尿するときについて説明を加える。この場合には、便蓋１２、便座１１を持ち上げて開放させる。使用者自身により、あるいは、使用者を検知した信号に応じて図略の開閉機構が便蓋１２、便座１１を持ち上げて開放させる。このように便座１１が開放されると、便座スイッチ１３が便座１１の開放を検知する。すると、制御装置１００は、表１のＮｏ．１に示すように、止水用バルブ５５をオンし、第１バルブ６１をオン、第２バルブ６２をオフにする。これにより吐水栓５４からの水がタンク５０に給水されると共に、タンク５０内の水は第１通水路６０ｂ、給水口４７を経て主筒４０の水室４１に供給される。
【００２９】
この結果、水室４１の水圧により、付勢バネ２２の付勢力に抗して可動ロッド部２１が矢印Ａ１方向に前進し使用位置Ｐ１に向けて移動し、可動本体２０が第１ストッパ部４３に当たった位置で可動ロッド部２１は停止する。この状態では、目標部３は目標箇所Ｍ１に設定されている。この場合、図１に示すように、目標部３は便器９内に突出すると共に、便器９内に貯留されている水の水面ＷＡよりも上方に位置している。このように放尿の目標が便器９内に設定されているため、使用者は自然と目標部３に命中させようと放尿することになり、尿が便器９外方に飛び散ることが抑制される。殊に、使用者が子供のときに有効である。このため、床面等といった便器９周辺への尿の飛散が抑制され、トイレの清潔性を向上させることができる。殊に目標部３は、尿の飛散を抑制する緩衝性を有する緩衝部３２を有するため、目標部３における尿の跳ね返りが抑制され、便器９周辺への尿の飛散が抑制され、トイレの清潔性を向上させることができる。
【００３０】
目標部３に尿が当たったとしても、水室４１には水が供給されているため、保持部材２の可動ロッド部２１が矢印Ａ２方向に後退することは抑えられている。従って水が供給された水室４１は、目標部３に尿が当たったとき、保持部材２の可動ロッド部２１が後退することを抑える後退抑制手段として機能することができる。更に図２に示すように、保持部材２の可動ロッド部２１は、主筒４０のうち可動ロッド部２１の外径と相応する内径をもつ受け部４０ｔで支持されていると共に、保持部材２の可動本体２０が水室４１の内壁面の拘束面４１ｔに対面して拘束されているため、尿が目標部３に衝撃的に当たったとしても、保持部材２の可動ロッド部２１の揺動は抑えられている。従って、受け部４０ｔ及び拘束面４１ｔは、目標部３に尿が衝撃的に当たったとき、保持部材２の可動ロッド部２１の揺動を拘束する拘束手段として機能することができる。
【００３１】
本実施例によれば、尿が目標部３に当たったとき、目標部３に搭載したセンサ７４によりこの衝撃力を検知する。センサ７４の検知信号は制御装置１００に入力され、制御装置１００は、音響発生部７のスピーカ駆動回路７１を駆動させ、スピーカ７０から音響を鳴らす。音響としては音楽、水流音、格言、放尿に対する助言、動物の鳴き声等を採用することができる。即ち、制御装置１００に搭載されている記憶手段として機能するメモリ１０２のエリアには、音響として、複数の音楽（ａ１，ａ２…）、複数の水流音（ｂ１，ｂ２…）、複数の格言（ｃ１，ｃ２…）、放尿動作に対する複数の助言（ｄ１，ｄ２…）、複数の動物の鳴き声（ｅ１，ｅ２…）がそれぞれ格納されている。従って、使用者は、基部１０の操作パネルに装備されている選択スイッチ７５により音楽、水流音、格言、放尿に対する助言、動物の鳴き声のいずれかを使用者の好みに応じて選択することができる。音響が放尿動作に対する助言であれば、この助言に従って放尿動作をすれば、使用者が幼児であっても、尿の飛散を防止するのに有利となる。
【００３２】
このように尿が目標部３に当たっているとき、音響がスピーカ７０から鳴るため、その音響を聞きながら放尿でき、気分が爽快となったり、気ばらしにもなる。更に、尿が便器９内の水に当たる不快音も音響によって軽減または解消できるため、狭い室内においても他人に気兼ね無く放尿でき、環境上有利となる。
【００３３】
また上記したように尿が目標部３に当たっているとき、音響がスピーカ７０から鳴るため、尿が目標部３に当たっていないときには、その音響を中断させたり、音響の種類を変更させたりすれば、暗がり時においても、尿が目標部３に当たっていないことが認識されるため、便器９内に対する放尿の方向性を高めるのに貢献することができる。
【００３４】
更に放尿後には、便座１１が便蓋１２と共に閉鎖される。この場合、使用者自身により、あるいは、トイレからの使用者の退室を検知した信号に応じて図略の開閉機構が便蓋１２、便座１１を開放させる。表１のＮｏ．２に示すように、開放していた便座１１が閉鎖されるため、便座スイッチ１３がオフとなり、止水用バルブ５５のオンが維持され、第１バルブ６１がオフとなり、第２バルブ６２がオンとなり、タイマ７６がオンとなり、タイマ作動を開始する。タイマ７６は第２バルブ６２のオン時間を規定するものであり、タイマ設定時間の間、第２バルブ６２のオンは維持される。
【００３５】
このように便座１１の閉鎖に伴い第１バルブ６１がオフとなるため、止水栓５４の水はタンク５０に供給されるものの、タンク５０の水は給水口４７には供給されない。このように第１バルブ６１がオフとなると、ドレン通路６３が開放される。このため水室４１の水は、付勢バネ２２で付勢されている可動本体２０により矢印Ｅ１方向（図２参照）に押し返される。つまり、水室４１の水の圧力よりも付勢バネ２２の付勢力が打ち勝ち、水室４１の水はドレン通路６３を経て排水口から排出されると共に、付勢バネ２２によりピストン状の可動本体２０及び可動ロッド部２１は矢印Ａ２方向に移動して退避位置Ｐ２となり、目標部３が退避箇所Ｍ２に退避される。このように保持部材２が退避位置Ｐ２に退避すると共に、目標部３が退避箇所Ｍ２に退避されるとき、目標部３の上面は洗浄口４５に対面する。このとき止水用バルブ５５及び第２バルブ６２がオンとなっているため、止水栓５４の水はタンク５０に供給され、更にタンク５０の水は第２バルブ６２、第２通水路６０ｃを経て洗浄口４５に供給され、ひいては、洗浄口４５から吐出される水により目標部３は洗浄される。これにより目標部３の汚れが取り除かれる。尿は主として目標部３の上面にかかるが、洗浄用の水を吐出する洗浄口４５は目標部３の上面に対面するため、目標部３の上面の清掃に有利である。
【００３６】
タイマ７６の設定時間がオフとなるまで、第２バルブ６２のオンは維持されるため、タイマ７６の設定時間がオフとなるまで、目標部３の洗浄は実行される。従って、タイマ７６は、目標部３を洗浄する洗浄時間を設定する洗浄時間設定手段として機能できる。目標部３に対する洗浄能力を可変とするため、タイマ７６の設定時間は調整可能とすることができる。タイマ７６の設定時間がオフとなると、止水用バルブ５５、第２バルブ６２はオフとなり、目標部３の洗浄処理は終了する。このように尿が当たる目標部３は、尿が終了して便座１１、便蓋１２が閉鎖される都度、洗浄口４５から吐出される水によって目標部３は洗浄されるため、目標部３０を衛生的に維持できる。
【００３７】
本実施例によれば、前述の記載から理解できるように、タンク５０の水は、第１通水路６０ｂを介して保持部材２を使用位置Ｐ１に移動するため給水口４７に供給されると共に、第２通水路６０ｂを介して目標部洗浄部である洗浄口４５に洗浄用の水として供給される。このためタンク５０の水は、保持部材２を使用位置Ｐ１に移動させる用途と、尿で汚れた目標部３を洗浄させる用途とに共用されており、しかも双方の用途の使用タイミングは基本的には同一ではなく、時間的にずれているため、タンク５０の数、タンク５０のタンク容積を減少させるのに貢献できる。本実施例によれば、便座１１を開放されると自動的に保持部材２が使用位置Ｐ１に前進して目標部３が目標箇所Ｍ１に設定されている。従って便座１１を上方に回動させて便座１１を開放していない限り、保持部材２が使用位置Ｐ１に前進しないため目標部３が便器９内の目標箇所Ｍ１に突出されない。即ち、便座１１が下方に回動して閉鎖されているときには、目標部３が便器９内の目標箇所Ｍ１に突出されない。故に、下方に回動して閉鎖されている便座１１の上に使用者の腰部が載って使用者が排便するときには、保持部材２が使用位置Ｐ１に前進せず、ひいては目標部３が便器９内の目標箇所Ｍ１に突出されず、退避箇所Ｍ２に退避しており、従って便が保持部材２や目標部３に接触することが抑えられ、便による保持部材２や目標部３の汚れを未然に防止することができる。
【００３８】
本実施例によれば前述したように、便座１１が開放されると、水室４１内の水圧により自動的に保持部材２が矢印Ａ１方向に前進して使用位置Ｐ１に移動するが、この動作をキャンセルするキャンセル手段として機能するキャンセルスイッチ７８が基部１０の操作パネルに設けられている。即ち、キャンセルスイッチ７８は、放尿のために便座１１を開放したとして、保持部材２を使用位置Ｐ１に移動させず、ひいては目標部３を目標箇所Ｍ１に移動させないものである。
【００３９】
従ってキャンセルスイッチ７８を操作すれば、第１バルブ６１はオフとされ、水室４１に水が給水されないため、便座１１を開放したとしても保持部材２が使用位置Ｐ１に前進せず、退避位置Ｐ２に退避したままに維持される。このため、便座１１を開放したとしても、付勢バネ２２によりピストン状の可動本体２０及び可動ロッド部２１は矢印Ａ２方向に移動して退避位置Ｐ２となり、目標部３が退避箇所Ｍ２に退避された状態に維持される。故に便器９内の清掃時にはキャンセルスイッチ７８を清掃者が操作すれば、目標部３が便器９内に突き出さず、目標部３が便器９内の清掃の邪魔になることを防止でき、便利である。
【００４０】
上記した実施例の通常の制御則によれば、前述したように尿が目標部３に当たったとき、これをセンサ７４により検知し、センサ７４の検知信号は制御装置１００に入力され、制御装置１００は音響発生部７のスピーカ駆動回路７１を駆動させ、スピーカ７０から音響を鳴らすことにしている。更に、スピーカ７０から音響を鳴らすことを中止する音響キャンセル手段としての音響キャンセルスイッチ７９が基部１０の操作パネルに設けられている。従って、夜間等のように静粛性が要請される場合等には、必要に応じて音響キャンセルスイッチ７９を使用者が操作し、スピーカ７０から音響を鳴らすことを中止することもできる。
【００４１】
（第２実施例）
第２実施例は第１実施例と基本的には同様の構成、同様の作用効果を有する。以下、第１実施例と異なる部分を中心として説明する。図７は本実施例の制御則を示す。本実施例によれば、尿が目標部３に当たる度合に応じて音響を発生させる。使用者がした尿が目標部３の中心域に当たる命中率を制御装置１００が求め、命中率に応じて音響の種類を変更する。尿が目標部３の中心域に当たる命中率は、センサ７４が検知する衝撃力の大きさ、あるいは、センサ７４が検知する衝撃の時間によって判定する。この制御則を規定するフローチャート（図７参照）は、便座が開放されて便座スイッチ１３が操作されると共に起動する。即ち、図７に示すように、初期設定（ステップＳ１０２）後に、センサ７４の信号を所定回数読み込む（ステップＳ１０４，ステップＳ１０６）。そして、制御装置１００は、目標部３に対する尿の命中率を求める（ステップＳ１０８）。従って、ステップＳ１０８は、目標部３に対する尿の命中率を演算する演算手段として機能できる。
【００４２】
命中率が相対的に低いとき（目標部３に対して外れているときも含む）には、制御装置１００は、第１音響を発生させる信号をスピーカ駆動回路７１に出力する（ステップＳ１１０，ステップＳ１１２）。命中率が相対的に中程度のときには第２音響を発生させる信号をスピーカ駆動回路７１に出力する（ステップＳ１１４，ステップＳ１１６）。また命中率が相対的に高いときには第３音響を発生させる信号をスピーカ駆動回路７１に出力する（ステップＳ１１８，ステップＳ１２０）。センサ７４が検知する命中率が極めて高いときには第４音響を発生させる信号をスピーカ駆動回路７１に出力する（ステップＳ１２２）。音響の過度の変更を防止すべく、ステップＳ１２４において所定時間待機し、便座１１が閉鎖されていなければ、放尿が継続されている可能性が高いため、ステップＳ１０４に戻る。また便座１１が閉鎖されていれば、放尿が終了しているため、制御装置１００は、音響停止信号を出力し（ステップＳ１２６，ステップＳ１２８）、制御を終了する。ステップＳ１２６，ステップＳ１２８は、音響を停止させる音響停止手段として機能できる。また便座１１の開放が継続したとしても所定時間経過すれば、使用者が便座１１の閉鎖動作を忘れたことが推定されるため、音響停止信号を出力し（ステップＳ１３０，ステップＳ１２８）、制御を終了する。
【００４３】
第１音響〜第４音響としては音楽、水流音、格言、放尿に対する助言、動物の鳴き声等を採用することができ、命中率の高低関係を識別できるように命中率の高低関係を明示または暗示する音響を採用することができる。従って、第１音響は、命中率が低いことを明示または暗示する音響とする。第２音響は、命中率が中程度であることを明示または暗示する音響とする。第３音響は、命中率が高いことを明示または暗示する音響とする。第４音響は、命中率が極めて高いことを明示または暗示する音響とする。
【００４４】
本実施例においても、尿が目標部３に当たっているときに音響が発生され、その音響を聞きながら放尿できるため、気分が爽快となったり、気ばらしにもなる。更に、尿が目標部３に当たる度合い（命中率）に応じて、音響が発生されるため、気分が一層爽快となったり、気ばらしにもなり、更に、尿を目標部３に命中させようとする使用者の意識を高めることができ、楽しみつつ放尿できるばかりか、便器９周辺への尿の飛散が一層抑制され、トイレの清潔性を更に向上させることができる。
【００４５】
（第３実施例）
図８は第３実施例を示す。第３実施例は第１実施例と基本的には同様の構成、同様の作用効果を有する。以下、第１実施例と異なる部分を中心として説明する。図８に示すように、センサ７４Ｂを可動ロッド部２１のうち目標部３と反対側の部位に搭載している。この場合、尿がかかる目標部３からセンサ７４Ｂを遠ざけることができる。可動ロッド部２１に先端部の目標部３に尿がかかると、この衝撃力がモーメントとして可動ロッド部２１のうち目標部３と反対側の部位に作用するため、これをセンサ７４Ｂが検知することができる。従って、この検知信号を制御装置１００に入力させて音響発生部７のスピーカ駆動回路７１を駆動させ、スピーカ７０を鳴らす。
【００４６】
（第４実施例）
図９は第４実施例を示す。第４実施例は第１実施例と基本的には同様の構成、同様の作用効果を有する。以下、第１実施例と異なる部分を中心として説明する。可動機構４の主要素である主筒４０は、目標部３の向きを調整する調整機構として機能できる回動部９２に矢印Ｒ１，Ｒ２方向に回動可能に設けられている。回動部９２は駆動モータまたは手動操作により回動可能とされている。使用者の好み、使用者の身長（子供、大人）等に応じて、回動部９２の回動作用により、主筒４０の向きを調整でき、便器９に対する目標部３の向きを調整することができる。
【００４７】
（第５実施例）
図１０は第５実施例を示す。第５実施例は第１実施例と基本的には同様の構成、同様の作用効果を有する。以下、第１実施例と異なる部分を中心として説明する。尿に含まれている糖、蛋白、潜血等と反応して変色することにより、糖、蛋白、潜血等の異常の有無を簡易的に判定する試薬成分、試薬成分を担持した試験片が、従来、提供されている。そこで本実施例によれば、図１０に示すように、当該試薬成分を含む収容する収容部２００（試薬収容手段）と、収容部２００と洗浄口４５とを繋ぐ通路２０２と、通路２０２に設けられた開閉バルブ２０４とを基部１０に装備しており、更に、開閉バルブ２０６を開閉する試薬供給スイッチ２０８を基部１０の操作パネルに装備している。目標部３が退避箇所Ｍ２に退避している状態において、つまり、洗浄口４５に目標部３が対面している状態において、放尿の際に、試薬供給スイッチ２０８を操作して開閉バルブ２０４を開放し、収容部２００内の試薬成分を洗浄口４５から目標部３に供給することができる。放尿の際に目標部３に尿を当たれば、目標部３に供給された試薬成分と尿とが接触するため、尿成分に異常があれば、試薬成分は尿と反応して変色するため、尿を簡易的に検査することができる。保持部材２が退避位置Ｐ２に退避して目標部３が退避箇所Ｍ２に退避する際に、目標部３に付着した洗浄成分は、洗浄口４５から目標部３に向けて吐出される水により洗浄される。従って洗浄口４５は、基部１０に設けられ目標部３に付着した洗浄成分を洗浄して除去する試薬除去手段として機能できる。試薬供給スイッチ２０８及び開閉バルブ２０４は、基部１０に設けられており、目標部３に試薬成分を供給する試薬供給手段として機能できる。
【００４８】
（他の実施例）
上記した第１実施例によれば、尿が目標部３に当たったとき、音響発生部７のスピーカ駆動回路７１を駆動させ、スピーカ７０を鳴らして音響を発生させることにしているが、これに限らず、便座１１の開放動作と、音響発生部７による音響発生とを連動させても良い。この場合、便座１１が開放されて便座スイッチ１３が便座１１の開放を検知したとき、あるいは、便座スイッチ１３が便座１１の開放を検知して所定時間（便座１１の開放から放尿開始までの時間を考慮したもの）経過したとき、音響発生部７のスピーカ駆動回路７１を駆動させ、スピーカ７０を鳴らして音響を発生させると共に、便座１１の閉鎖に伴い音響の発生を停止させることにしても良い。この場合、目標部３に取り付けるセンサ７４を廃止することができる。即ち、保持部材２が使用位置Ｐ１に設定される条件（便座１１を開放させること）が満たされたとき、放尿されると推定できるため、放尿音を低減または解消すべく、音響発生部７が音響を発生させることにする。また上記した主筒４０に供給する水を溜めるタンク５０は、人体の局部を洗浄する洗浄ノズル１８用の洗浄水を貯留する温水タンクと共用化しても良い。便座１１をもつ便器９に適用しているが、便座１１をもたない便器に適用しても良い。その他、本発明は上記し且つ図面に示した実施例のみに限定されるものではなく、要旨を逸脱しない範囲内で適宜変更して実施できるものである。
【００４９】
【発明の効果】
各様相の本発明によれば、使用者（主として男性）が放尿するとき、便器内の目標部は使用者の放尿の目標となる。このため便器内に放尿される確率が増加し、尿の飛散が抑制され、床面などの便器周辺の汚れを抑えることができる。
【図面の簡単な説明】
【図１】便器に据え付けられている便座を開放させた状態で、使用者が尿している状態を模式的に示す構成図である。
【図２】便座装置に組み込まれている尿飛散防止装置の構造を模式的に示す構成図である。
【図３】目標部が退避箇所に退避している状態を模式的に示す断面図である。
【図４】目標部の断面図である。
【図５】便座の枢支部付近を便座スイッチと共に示す断面図である。
【図６】制御系を示すブロック図である。
【図７】第２実施例に係り、尿飛散防止のために制御装置が実行するフローチャートである。
【図８】第３実施例に係り、便座装置に組み込まれている尿飛散防止装置の構造を模式的に示す構成図である。
【図９】第４実施例に係り、便座装置に組み込まれている尿飛散防止装置の構造を模式的に示す構成図である。
【図１０】第５実施例に係り、便座装置に組み込まれている尿飛散防止装置の構造を模式的に示す構成図である。
【符号の説明】
図中、１は便座装置、１０は基部、１１は便座、１２は便蓋、１６は尿飛散防止装置、２は保持部材、２０は可動本体、２１は可動ロッド部、２２は付勢バネ、３は目標部、３１は本体、３２は緩衝部４は可動機構、４１は水室、４５は洗浄口（目標部洗浄部）、４７は給水口、５０はタンク、６０は通水路、６１は第１バルブ、６２は第２バルブ、７は音響発生部、７０はスピーカ、７４はセンサ（検知手段）、７８はキャンセルスイッチ（キャンセル手段）、９は便器を示す。
【図１】
2005006898.tif 000004
【図２】
2005006898.tif 000005
【図３】
2005006898.tif 000006
【図４】
2005006898.tif 000007
【図５】
2005006898.tif 000008
【図６】
2005006898.tif 000009
【図７】
2005006898.tif 000010
【図８】
2005006898.tif 000011
【図９】
2005006898.tif 000012
【図１０】
2005006898.tif 000013